(57)【要約】【課題】  空気に含まれる水分を除去できる除湿装置を提供する。【解決手段】  除湿装置１は、筐体１０と、網４１〜４４と、冷却液Ｗとを有する。筐体１０は、空気を取り込む吸気口１１と、吸気口１１から取り込まれた空気を移動させる流路と、流路を通過した空気を排出させる排気口１２とを含む。網４１〜４４は、筐体１０内に配置されており、流路を移動する空気が通過する複数の開口部を含む。冷却液Ｗは、筐体１０の底部に溜められ、網４１〜４３と接触して網４１〜４４を冷却する。【選択図】  図１
2018192469.tif 000002
【特許請求の範囲】
【請求項１】
空気を取り込む吸気口と、前記吸気口から取り込まれた空気を移動させる流路と、前記流路を通過した空気を排出させる排気口とを含む筐体と、
前記筐体内に配置されており、前記流路を移動する空気が通過する複数の開口部を含む網と、
前記筐体の底部に溜められ、前記網と接触して前記網を冷却する冷却液と、
を有することを特徴とする除湿装置。
【請求項２】
前記流路は、第１流路部と、前記第１流路部に対して、前記流路の上流及び下流のそれぞれに並んで配置された第２流路部とを有しており、
前記各第２流路部における前記筐体の上面は、前記第１流路部における前記筐体の上面よりも前記冷却液の液面に近づいていることを特徴とする請求項１に記載の除湿装置。
【請求項３】
前記網は、前記第１流路部及び前記第２流路部の少なくとも一方に配置されていることを特徴とする請求項２に記載の除湿装置。
【請求項４】
前記網は、空気が前記開口部に入り込む側の第１面が前記冷却液の液面を向くように、前記液面に対して傾斜していることを特徴とする請求項１から３のいずれか１つに記載の除湿装置。
【請求項５】
前記網のうち、空気が前記開口部に入り込む側の第１面に設けられ、前記冷却液の液面に沿って配置される第１フィンと、
前記網のうち、前記開口部から空気が排出される側の第２面に設けられ、空気の移動方向に向かって空気の流路を狭める形状に形成された第２フィンと、
を有することを特徴とする請求項１から４のいずれか１つに記載の除湿装置。
【請求項６】
前記第２フィンは、平坦面又は曲面によって構成されていることを特徴とする請求項５に記載の除湿装置。
【請求項７】
前記網のうち、空気が前記開口部に入り込む側の第１面に設けられ、前記液面に沿って配置される第１フィンと、
前記網のうち、前記開口部から空気が排出される側の第２面に設けられ、空気を前記液面に向かって移動させる第２フィンと、
を有することを特徴とする請求項１から４のいずれか１つに記載の除湿装置。
【請求項８】
前記筐体は、前記冷却液を排出させる排出口を有しており、
前記排出口と接続され、前記排出口から排出された前記冷却液が収容される容器と、
前記容器に充填されており、前記冷却液と接触して前記冷却液を浄化させる活性化石炭又はセラミック粒子と、
を有することを特徴とする請求項１から７のいずれか１つに記載の除湿装置。
【請求項９】
前記筐体及び前記網は、金属で形成されていることを特徴とする請求項１から８のいずれか１つに記載の除湿装置。
【請求項１０】
前記吸気口及び前記排気口は、上方に向かって開口していることを特徴とする請求項１から９のいずれか１つに記載の除湿装置。
【請求項１１】
前記吸気口は、前記除湿装置が載置される載置面に沿った方向に向かって開口しており、
前記排気口は、上方に向かって開口していることを特徴とする請求項１から９のいずれか１つに記載の除湿装置。
【請求項１２】
前記網を通過して前記排気口に向かう空気に対して消毒液を吐出するノズルを有することを特徴とする請求項１から１１のいずれか１つに記載の除湿装置。
【請求項１３】
前記筐体の内部において、前記消毒液を吐出させる前記ノズルの吐出口と対向する位置に配置されており、前記筐体との間に空気を移動させる流路を形成する風道壁形成体を有することを特徴とする請求項１２に記載の除湿装置。
【発明の詳細な説明】
【技術分野】
【０００１】
本発明は、空気に含まれる水分を除去する除湿装置に関する。
【背景技術】
【０００２】
従来、水分を含む空気から水滴を生成して除湿を行う装置が提案されている（特許文献１〜６）。
【先行技術文献】
【特許文献】
【０００３】
【特許文献１】特開２００８−１４２８１８号公報
【特許文献２】実用新案登録第３１５５５５２号
【特許文献３】特開平７−２４６３１１号公報
【特許文献４】特開平６−３４１３５６号公報
【特許文献５】特開２０１２−１０１１６７号公報
【特許文献６】特表２０１６−５２６１４２号公報
【発明の概要】
【発明が解決しようとする課題】
【０００４】
本発明は、各特許文献１〜６とは異なる構造において、空気に含まれる水分を除去できる除湿装置を提供することを目的とする。
【課題を解決するための手段】
【０００５】
すなわち、本発明の要旨は、以下のとおりである。
［１］  空気を取り込む吸気口と、前記吸気口から取り込まれた空気を移動させる流路と、前記流路を通過した空気を排出させる排気口とを含む筐体と、
前記筐体内に配置されており、前記流路を移動する空気が通過する複数の開口部を含む網と、
前記筐体の底部に溜められ、前記網と接触して前記網を冷却する冷却液と、
を有することを特徴とする除湿装置。
［２］  前記流路は、第１流路部と、前記第１流路部に対して、前記流路の上流及び下流のそれぞれに並んで配置された第２流路部とを有しており、
前記各第２流路部における前記筐体の上面は、前記第１流路部における前記筐体の上面よりも前記冷却液の液面に近づいていることを特徴とする［１］に記載の除湿装置。
［３］  前記網は、前記第１流路部及び前記第２流路部の少なくとも一方に配置されていることを特徴とする［２］に記載の除湿装置。
［４］  前記網は、空気が前記開口部に入り込む側の第１面が前記冷却液の液面を向くように、前記液面に対して傾斜していることを特徴とする［１］から［３］のいずれか１つに記載の除湿装置。
［５］  前記網のうち、空気が前記開口部に入り込む側の第１面に設けられ、前記冷却液の液面に沿って配置される第１フィンと、
前記網のうち、前記開口部から空気が排出される側の第２面に設けられ、空気の移動方向に向かって空気の流路を狭める形状に形成された第２フィンと、
を有することを特徴とする［１］から［４］のいずれか１つに記載の除湿装置。
［６］  前記第２フィンは、平坦面又は曲面によって構成されていることを特徴とする［５］に記載の除湿装置。
［７］  前記網のうち、空気が前記開口部に入り込む側の第１面に設けられ、前記液面に沿って配置される第１フィンと、
前記網のうち、前記開口部から空気が排出される側の第２面に設けられ、空気を前記液面に向かって移動させる第２フィンと、
を有することを特徴とする［１］から［４］のいずれか１つに記載の除湿装置。
［８］  前記筐体は、前記冷却液を排出させる排出口を有しており、
前記排出口と接続され、前記排出口から排出された前記冷却液が収容される容器と、
前記容器に充填されており、前記冷却液と接触して前記冷却液を浄化させる活性化石炭又はセラミック粒子と、
を有することを特徴とする［１］から［７］のいずれか１つに記載の除湿装置。
［９］  前記筐体及び前記網は、金属で形成されていることを特徴とする［１］から［８］のいずれか１つに記載の除湿装置。
［１０］  前記吸気口及び前記排気口は、上方に向かって開口していることを特徴とする［１］から［９］のいずれか１つに記載の除湿装置。
［１１］  前記吸気口は、前記除湿装置が載置される載置面に沿った方向に向かって開口しており、
前記排気口は、上方に向かって開口していることを特徴とする［１］から［９］のいずれか１つに記載の除湿装置。
［１２］  前記網を通過して前記排気口に向かう空気に対して消毒液を吐出するノズルを有することを特徴とする［１］から［１１］のいずれか１つに記載の除湿装置。
［１３］  前記筐体の内部において、前記消毒液を吐出させる前記ノズルの吐出口と対向する位置に配置されており、前記筐体との間に空気を移動させる流路を形成する風道壁形成体を有することを特徴とする［１２］に記載の除湿装置。
【発明の効果】
【０００６】
本発明では、網が冷却液に接触しているため、冷却液によって網が冷却されている。このため、吸気口から取り込まれた空気が、筐体の流路を移動して、冷却された網に接触することにより、空気が冷却される。空気の冷却によって、空気に含まれる水分を液化させることができ、空気に含まれる水分を除去することができる。
【図面の簡単な説明】
【０００７】
【図１】第１実施形態である除湿装置の内部構造を示す概略図である。
【図２】浄化システムの構造を示す概略図である。
【図３】冷却網にフィンを設けた構成を示す図である。
【図４】冷却網にフィンを設けた構成を示す図である。
【図５】冷却網にフィンを設けた構成を示す図である。
【図６】フィンの形状を説明する図である。
【図７】フィンの形状を説明する図である。
【図８】フィンの形状を説明する図である。
【図９】第２実施形態である除湿装置の内部構造を示す概略図である。
【図１０】図９に示すＡ−Ａ断面図である。
【発明を実施するための形態】
【０００８】
（第１実施形態）
本発明の第１実施形態である除湿装置の構造について、図１を用いて説明する。図１は、除湿装置１の内部構造を示す概略図である。
【０００９】
除湿装置１は、除湿装置１の外装を構成する筐体１０を有する。筐体１０は、金属で形成することができる。筐体１０には、除湿装置１の外部に存在する空気を取り込むための吸気口１１と、除湿された空気を除湿装置１の外部に排出するための排気口１２とが形成されている。筐体１０は、吸気口１１から排気口１２に向かう空気の流路を形成している。
【００１０】
吸気口１１及び排気口１２のそれぞれは、筐体１０の上面に形成されており、除湿装置１の上方に向かって開口している。吸気口１１はフィルタ２１で覆われており、フィルタ２１は、筐体１０の内部に向けて空気を通過させるとともに、空気以外の異物が筐体１０の内部に進入することを阻止する。フィルタ２１の下方には、吸引ファン３１が設けられている。吸引ファン３１を駆動することにより、除湿装置１の外部に存在する空気を吸気口１１から取り込むことができる。
【００１１】
排気口１２はフィルタ２２で覆われており、フィルタ２２は、筐体１０の外部に向けて空気を通過させるとともに、空気以外の異物が筐体１０の内部に進入することを阻止する。フィルタ２２の下方には、排出ファン３２が設けられている。排出ファン３２を駆動することにより、筐体１０の内部に存在する空気を排気口１２から筐体１０の外部に排出することができる。
【００１２】
本実施形態では、吸引ファン３１及び排出ファン３２の両方を設けているが、吸引ファン３１及び排出ファン３２のいずれか一方だけを設けることもできる。この場合であっても、吸引ファン３１又は排出ファン３２を駆動することにより、吸気口１１から空気を取り込むとともに、取り込んだ空気を排気口１２から排出することができる。
【００１３】
本実施形態では、フィルタ２１が吸気口１１に設けられているが、筐体１０の内部にフィルタ２１を設けることもできる。同様に、フィルタ２２は、排気口１２に設けなくてもよく、筐体１０の内部に設けることもできる。また、本実施形態では、フィルタ２１，２２を設けているが、筐体１０の内部への異物の進入を考慮しなければ、フィルタ２１，２２の少なくとも一方を省略することができる。
【００１４】
筐体１０の底部には、冷却液（例えば、水）Ｗが溜まっている。冷却液Ｗは、各冷却網４１〜４３の一部と接触して冷却網４１〜４３を冷却する。筐体１０の側面には、排液ダクト１３が設けられており、排液ダクト１３は、過剰な冷却液Ｗを筐体１０の外部に排出する。すなわち、冷却液Ｗの液面が、排液ダクト１３が設けられた位置よりも上昇したときには、冷却液Ｗが排液ダクト１３に浸入して筐体１０の外部に排出される。
【００１５】
第１冷却網４１は、筐体１０の内部に配置されており、空気を通過させるための複数の開口部を有する。第１冷却網４１は、１枚の網によって構成することもできるし、複数枚の網を積層して構成することもできる。第１冷却網４１は、金属で形成することができる。
【００１６】
また、第１冷却網４１は、冷却液Ｗの液面に対して傾斜している。具体的には、第１冷却網４１のうちの吸気口１１側の面４１ａが、冷却液Ｗの液面側を向くように、第１冷却網４１が傾いている。第１冷却網４１の面４１ａは、空気が第１冷却網４１の開口部に入り込む側の面である。上述したように第１冷却網４１を傾斜させることにより、第１冷却網４１を冷却液Ｗの液面に対して略垂直に配置する場合と比べて、第１冷却網４１が冷却液Ｗと接触する面積を増やすことができる。これにより、冷却液Ｗによる第１冷却網４１の冷却効果を向上させることができる。
【００１７】
筐体１０には、空気の流路を制限するための第１流路制限部１４（本発明の第２流路部に相当する）が設けられている。第１流路制限部１４では、筐体１０の上面が冷却液Ｗの液面に最も近づいており、第１流路制限部１４における筐体１０の上面は、冷却液Ｗの液面に沿った平面を含んでいる。ここで、第１流路制限部１４における筐体１０の上面は、冷却液Ｗに接触していなく、筐体１０の上面及び冷却液Ｗの液面の間には、空気が移動する流路が形成されている。
【００１８】
第１流路制限部１４よりも吸気口１１側に位置する筐体１０の上面は、傾斜面１５が形成されている。傾斜面１５は、第１流路制限部１４に近づくにつれて下方に向かっている。傾斜面１５を設けることにより、空気を第１流路制限部１４に向けて移動させやすくなる。
【００１９】
第１流路制限部１４には、第２冷却網４２が配置されており、第２冷却網４２は、空気を通過させるための複数の開口部を有する。第２冷却網４２は、１枚の網によって構成することもできるし、複数枚の網を積層して構成することもできる。第２冷却網４２は、金属で形成することができる。
【００２０】
また、第２冷却網４２は、冷却液Ｗの液面に対して傾斜している。具体的には、第２冷却網４２のうちの第１冷却網４１側の面４２ａが、冷却液Ｗの液面側を向くように、第２冷却網４２が傾いている。第２冷却網４２の面４２ａは、空気が第２冷却網４２の開口部に入り込む側の面である。上述したように第２冷却網４２を傾斜させることにより、第１冷却網４１と同様に、第２冷却網４２が冷却液Ｗと接触する面積を増やして、冷却液Ｗによる第２冷却網４２の冷却効果を向上させることができる。
【００２１】
第１流路制限部１４に対して、空気の流路の下流には、第１流路拡大部１６（本発明の第１流路部に相当する）が設けられている。第１流路拡大部１６における筐体１０の上面は、第１流路制限部１４における筐体１０の上面よりも冷却液Ｗの液面から離れている。第１流路拡大部１６には、２つの傾斜面１６ａ，１６ｂを設けることができ、傾斜面１６ａ，１６ｂによって、第１流路拡大部１６内で空気をスムーズに移動させやすくなる。
【００２２】
第１流路拡大部１６に対して、空気の流路の下流には、第２流路制限部１７（本発明の第２流路部に相当する）が設けられている。第２流路制限部１７における筐体１０の上面は、第１流路拡大部１６における筐体１０の上面よりも冷却液Ｗの液面に近づいており、冷却液Ｗの液面に沿った平面を含んでいる。ここで、第２流路制限部１７における筐体１０の上面は、冷却液Ｗに接触していなく、筐体１０の上面及び冷却液Ｗの液面の間には、空気が移動する流路が形成されている。
【００２３】
第２流路制限部１７に対して、空気の流路の下流には、第２流路拡大部１８が設けられている。第２流路拡大部１８は、傾斜面１８ａを有しており、傾斜面１８ａは、第２流路制限部１７から離れるにつれて上方に向かっている。
【００２４】
第２流路拡大部１８には、第３冷却網４３が配置されており、第３冷却網４３は、空気を通過させるための複数の開口部を有する。第３冷却網４３は、１枚の網によって構成することもできるし、複数枚の網を積層して構成することもできる。第３冷却網４３は、金属で形成することができる。
【００２５】
また、第３冷却網４３は、冷却液Ｗの液面に対して傾斜している。具体的には、第３冷却網４３のうちの第２冷却網４２側の面４３ａが、冷却液Ｗの液面側を向くように、第３冷却網４３が傾いている。第３冷却網４３の面４３ａは、空気が第３冷却網４３の開口部に入り込む側の面である。上述したように第３冷却網４３を傾斜させることにより、第１冷却網４１や第２冷却網４２と同様に、第３冷却網４３が冷却液Ｗと接触する面積を増やして、冷却液Ｗによる第３冷却網４３の冷却効果を向上させることができる。
【００２６】
第２流路拡大部１８よりも上方であって、排出ファン３２の下方には、第４冷却網４４が配置されており、第４冷却網４４は、空気を通過させるための複数の開口部を有する。第４冷却網４４は、１枚の網によって構成することもできるし、複数枚の網を積層して構成することもできる。第４冷却網４４は、金属で形成することができる。
【００２７】
ここで、第４冷却網４４は、冷却液Ｗの液面から離れた位置に配置されている。また、第４冷却網４４は、垂直方向（図１の上下方向）に対して傾斜している。具体的には、第４冷却網４４のうち、第２流路拡大部１８に近い側の端部が最も下方に位置するように、第４冷却網４４が傾いている。
【００２８】
次に、除湿装置１の除湿作用について説明する。
【００２９】
吸気口１１から取り込まれた空気は、筐体１０の下方に向かって移動し、第１冷却網４１に導かれる。第１冷却網４１は冷却液Ｗによって冷却されているため、空気が第１冷却網４１と接触すると、空気が冷却される。これにより、空気に含まれる水分が液化して、第１冷却網４１の表面に水滴が付着する。上述したように、第１冷却網４１は、冷却液Ｗの液面に対して傾斜しているため、第１冷却網４１に付着した水滴は、重力の作用を受けて下方に落下しやすくなる。これにより、第１冷却網４１によって、空気に含まれる水分を除去しやすくなる。
【００３０】
第１冷却網４１を通過した空気は、第１流路制限部１４に向かって移動する。第１流路制限部１４には第２冷却網４２が設けられているため、空気が第２冷却網４２と接触して冷却される。ここで、第２冷却網４２は、空気の流路が制限された第１流路制限部１４に配置されているため、第２冷却網４２において冷却液Ｗと接触する面積の割合は、第１冷却網４１において冷却液Ｗと接触する面積の割合よりも高くなる。したがって、第２冷却網４２の全体が冷却液Ｗによって冷却されやすくなり、第２冷却網４２と接触する空気を冷却しやすくなる。
【００３１】
第２冷却網４２によって空気を冷却することにより、空気に含まれる水分が液化して第２冷却網４２の表面に水滴が生成される。上述したように第２冷却網４２が傾斜していることにより、第２冷却網４２の表面に付着した水滴は、重力の作用を受けて落下しやすくなる。
【００３２】
空気は、第２冷却網４２だけでなく、第１流路制限部１４によっても冷却される。ここで、筐体１０は冷却液Ｗと接触しているため、筐体１０も冷却液Ｗによって冷却されている。空気が第１流路制限部１４を通過するとき、第１流路制限部１４における筐体１０の上面に空気が接触することにより、空気を冷却することができ、空気に含まれる水分を液化させることができる。本実施形態では、第１流路制限部１４における筐体１０の上面を、冷却液Ｗの液面に沿った平面で構成しているが、これに限るものではない。例えば、第１流路制限部１４における筐体１０の上面の少なくとも一部を、冷却液Ｗの液面に対して傾斜させることができる。この傾斜部分を設けることにより、筐体１０の上面に付着した水分を傾斜部分に沿って移動させて冷却液Ｗの液面に向けて落下させやすくなる。
【００３３】
第１流路制限部１４を通過した空気は、第１流路拡大部１６に移動する。第１流路拡大部１６では、第１流路制限部１４よりも空気の流路が大きいため、空気の流速が低下する。第１流路拡大部１６を通過した空気は、第２流路制限部１７に移動する。第２流路制限部１７では、第１流路制限部１４と同様に、筐体１０の上面によって空気を冷却しやすくなる。本実施形態では、第２流路制限部１７における筐体１０の上面を、冷却液Ｗの液面に沿った平面で構成しているが、これに限るものではない。例えば、第２流路制限部１７における筐体１０の上面の少なくとも一部を、冷却液Ｗの液面に対して傾斜させることができる。この傾斜部分を設けることにより、筐体１０の上面に付着した水分を傾斜部分に沿って移動させて冷却液Ｗの液面に向けて落下させやすくなる。
【００３４】
本実施形態では、第１流路拡大部１６に対して、空気の流路の上流側及び下流側に、第１流路制限部１４及び第２流路制限部１７をそれぞれ設けている。第１流路制限部１４及び第２流路制限部１７を連続して形成した場合、これらの流路制限部１４，１７では、空気の流速が増加しやすくなり、筐体１０及び空気の間の熱伝達が効率良く行われにくくなる。そこで、本実施形態では、第１流路制限部１４及び第２流路制限部１７の間に第１流路拡大部１６を設けることにより、第１流路拡大部１６において空気の流速を低下させた後、空気を第２流路制限部１７に移動させるようにしている。流速を低下させた空気を第２流路制限部１７に導くことにより、第２流路制限部１７において、筐体１０及び空気の間の熱伝達を効率良く行わせることができる。
【００３５】
第２流路制限部１７を通過した空気は、第２流路拡大部１８に移動する。第２流路拡大部１８では、第１流路拡大部１６と同様に、空気の流速が低下する。第２流路拡大部１８には第３冷却網４３が配置されているため、流速が低下した空気を第３冷却網４３に接触させることができる。これにより、空気が第３冷却網４３と接触する時間を確保することができ、空気の冷却を効率良く行うことができ、空気に含まれる水分を液化させやすくなる。
【００３６】
第３冷却網４３を通過した空気は、筐体１０の上方に向かって移動して第４冷却網４４と接触する。第４冷却網４４は、冷却液Ｗと接触していないが、筐体１０を介して冷却されている。これにより、第４冷却網４４によって空気が冷却されることにより、空気に含まれる水分を液化させることができる。第４冷却網４４は、垂直方向（図１の上下方向）に対して傾斜しているため、第４冷却網４４に付着した水滴を第４冷却網４４に沿って下方に移動させやすくなる。結果として、第４冷却網４４から水滴を落下させることができる。
【００３７】
第４冷却網４４を通過した空気は、排出ファン３２及びフィルタ２２を通過して除湿装置１の外部に排出される。上述したように、除湿装置１では、空気に含まれる水分が除去されるため、排気口１２から排出された空気の水分量を、吸気口１１に取り込まれた空気の水分量よりも少なくでき、乾燥した空気を排気口１２から排出することができる。
【００３８】
次に、排液ダクト１３から排出された冷却液Ｗの処理について、図２を用いて説明する。図２は、冷却液Ｗを浄化する浄化システムを示す概略図である。排液ダクト１３には、図２に示す浄化システムが接続されている。
【００３９】
排液ダクト１３を通過した冷却液Ｗは、浄化容器５１に導かれる。浄化容器５１の入口５１ａにはフィルタ６１が配置されており、フィルタ６１は、排液ダクト１３から排出された冷却液Ｗに異物が混入しているときに、この異物を取り除くために用いられる。フィルタ６１を通過した冷却液Ｗは、浄化容器５１の内部に移動する。
【００４０】
浄化容器５１の内部には、浄化粒子Ｐが充填されている。浄化粒子Ｐとしては、例えば、活性化石炭やセラミック粒子を用いることができる。冷却液Ｗは、浄化粒子Ｐと接触することにより浄化される。そして、冷却液Ｗは、浄化容器５１の出口に配置されたフィルタ６２を通過することにより、浄化容器５１の外部に排出される。
【００４１】
浄化容器５１の外部に排出された冷却液Ｗは、フィルタ６３を通過した後、ＲＯ膜（逆浸透膜）６４において、不純物が除去される。ＲＯ膜６４を通過した冷却液Ｗは再利用することができる。例えば浄化システムを、消毒液粒子を放出する空間消毒装置に付属する消毒液生成・供給機構に接続し、除湿装置１から排出された冷却液Ｗを用いて消毒液を生成するようにしてもよい。空間消毒装置としては、例えば特願２０１７−０４４８５５に記載のものを挙げることができる。これにより、例えば空間消毒装置と除湿装置１とを同一の室内に配置するときに、必要以上に湿度が高くなることを防ぐことができる。
【００４２】
また、例えば、浄化システムを除湿装置１の筐体１０に接続すれば、浄化システムによって浄化された冷却液Ｗを筐体１０に戻すことができる。すなわち、除湿装置１及び浄化システムの間で冷却液Ｗを循環させることができる。一方、浄化システムによって浄化された冷却液Ｗを保管容器に収容しておき、必要に応じて、筐体１０の内部に冷却液Ｗを補充することができる。
【００４３】
なお、図２に示す浄化システムでは、入口５１ａ及び出口５１ｂを除いて、浄化容器５１を密閉構造としているが、これに限るものではない。例えば、冷却液Ｗを大気中に露出させる容器（すなわち、開放型の容器）を用いることもできる。この場合には、開放型の容器に浄化粒子Ｐを収容しておけばよい。
【００４４】
本実施形態における冷却網４１〜４４の少なくとも１つの冷却網にフィンを設けることができる。具体的には、冷却網において、空気が冷却網の開口部に入り込む側の面と、空気が開口部から排出される側の面とのうちの少なくとも一方の面にフィンを設けることができる。以下、フィンの構造について説明する。図３〜図５では、第１冷却網４１に適用した場合について説明する。
【００４５】
図３に示す構造では、第１冷却網４１の面４１ａに第１フィン７１が設けられており、第１冷却網４１の面４１ｂに第２フィン７２が設けられている。面４１ｂは、空気が第１冷却網４１の開口部から排出される側の面である。第１フィン７１は、冷却液Ｗの液面に沿って配置されており、平坦面で構成されている。第２フィン７２は、空気の移動方向に向かって空気の流路を狭める形状に形成されており、平坦面によって構成されている。図３に示す矢印は、空気の移動方向を示している。第２フィン７２によって空気の流路を狭めることにより、空気との接触面積を増加させて空気を冷却しやすくなる。
【００４６】
図４に示す構造では、図３に示す第２フィン７２を曲面で構成したものである。図４に示す矢印は、空気の移動方向を示している。図５に示す構造では、第２フィン７２によって、空気の移動方向を変更している。具体的には、第２フィン７２は、冷却液Ｗの液面に向かって空気を移動させる。図５に示す矢印は、空気の移動方向を示している。これにより、空気が冷却液Ｗと接触させることができ、空気を冷却することができる。空気を冷却することにより、空気に含まれる水分を液化させることができる。
【００４７】
図３〜図５に示す第１フィン７１は、平坦面で構成されているが、屈曲面で構成することもできる。例えば、第１フィン７１を図６〜図８に示す形状に形成することができる。図６〜図８に示す矢印は、空気の移動方向を示している。なお、図６〜図８では、図３〜図５に示す複数の第１フィン７１のうち、２つの第１フィン７１の位置関係だけを示している。また、図６〜図８では、第１フィン７１の形状を示しているが、図３〜図５に示す第２フィン７２を図６〜図８に示す形状に形成することもできる。
【００４８】
図６に示す構造では、一方の第１フィン７１の谷部７１ａと、他方の第１フィン７１の谷部７１ａとが、２つの第１フィン７１の配列方向（図６の上下方向）において並んでいる。言い換えれば、一方の第１フィン７１の山部７１ｂと、他方の第１フィン７１の山部７１ｂとが、２つの第１フィン７１の配列方向において並んでいる。空気は、各第１フィン７１の谷部７１ａ及び山部７１ｂに沿って移動する。第１フィン７１に谷部７１ａ及び山部７１ｂを設けることにより、第１フィン７１及び空気の接触面積を増加させて空気を冷却しやすくなる。
【００４９】
図７に示す構造では、図６に示す構造と比べて、空気の移動方向が異なっている。ここで、空気は、２つの第１フィン７１における谷部７１ａ,７１ａの間や、２つの第１フィン７１における山部７１ｂ,７１ｂの間を移動する。
【００５０】
図８に示す構造では、一方の第１フィン７１の谷部７１ａと、他方の第１フィン７１の山部７１ｂとが、２つの第１フィン７１の配列方向（図８の上下方向）において並んでいる。空気は、各第１フィン７１の谷部７１ａ及び山部７１ｂに沿って移動する。図８に示すように２つの第１フィン７１を配置すると、空気の流路が拡大される流路拡大部７１Ａと、空気の流路が制限される流路制限部７１Ｂとを形成することができる。流路拡大部７１Ａでは、一方の第１フィン７１の谷部７１ａと、他方の第１フィン７１の山部７１ｂとが、２つの第１フィン７１の配列方向（図８の上下方向）において最も離れている。流路制限部７１Ｂでは、一方の第１フィン７１の谷部７１ａと、他方の第１フィン７１の山部７１ｂとが、２つの第１フィン７１の配列方向（図８の上下方向）において最も近づいている。図８に示す構造であっても、第１フィン７１及び空気の接触面積を増加させて空気を冷却しやすくなる。
【００５１】
（第２実施形態）
本発明の第２実施形態である除湿装置の構造について、図９及び図１０を用いて説明する。図９は、除湿装置１の内部構造を示す概略図である。図１０は、図９におけるＡ−Ａ断面図である。本実施形態において、第１実施形態で説明した部材と同様の機能を有する部材については、同一の符号を用いている。以下、第１実施形態と異なる点について、主に説明する。
【００５２】
本実施形態の除湿装置１では、吸気口１１が筐体１０の側面に設けられている。そして、吸気口１１から取り込まれた空気は、除湿装置１が載置される載置面に沿った方向に移動する。このように空気を取り込むことにより、空気の移動方向を変えずに、吸気口１１から第１冷却網４１に向かって空気を移動させることができる。これにより、吸気口１１から取り込まれた水分を含む空気が第１冷却網４１に衝突しやすくなり、第１冷却網４１での冷却によって、空気に含まれる水分を液化させやすくなる。
【００５３】
吸気口１１はフィルタ２２で覆われており、吸気口１１の下方には、冷却液Ｗを排出するための排液ダクト１３が設けられている。また、筐体１０の内部に配置される吸引ファン３１は、フィルタ２２に沿って配置されている。
【００５４】
なお、第１実施形態である除湿装置１において、吸気口１１を本実施形態で説明した位置に設けることができる。また、第１実施形態である除湿装置１において、フィルタ２２や吸引ファン３１を本実施形態で説明した位置に設けることができる。
【００５５】
筐体１０には、複数のノズル８１が設けられている。ノズル８１は、第４冷却網４４の上方であって、排気口１２の下方に配置されている。図１０に示すように、複数のノズル８１は、筐体１０の円筒部分の周方向に並んで配置されている。また、本実施形態では、図９に示すように、筐体１０の上下方向（図９の上下方向）においても、ノズル８１が並んで配置されている。
【００５６】
なお、上方に配置されるノズル８１と、下方に配置されるノズル８１とは、排気口１２の側から見たときに、互いに重なる位置に配置されていてもよいし、互いに重ならない位置に配置されていてもよい。また、筐体１０の上下方向にノズル８１を並べて配置しなくてもよいし、筐体１０の上下方向に並んで配置されるノズル８１の数は、３つ以上であってもよい。
【００５７】
各ノズル８１は、供給管８２を介して、貯留容器８３に接続されている。供給管８２の一部には、ポンプ８４が配置されている。貯留容器８３には、次亜塩素酸水などの消毒液が溜められており、ポンプ８４を駆動することにより、貯留容器８３から各ノズル８１に消毒液を供給することができる。ノズル８１に供給された消毒液は、ノズル８１の先端に形成された吐出口から吐出される。図１０に示すように、各ノズル８１は筐体１０（円筒部分）を貫通しており、各ノズル８１の吐出口は、筐体１０の内部に位置している。これにより、ノズル８１の吐出口から筐体１０の内部に向かって消毒液が吐出される。
【００５８】
筐体１０の円筒部分の内部には、円筒状に形成された風道壁形成体８５がノズル８１の吐出口と対向する位置に配置されている。風道壁形成体８５は、筐体１０（円筒部分）に固定された支持部材（不図示）によって支持されている。風道壁形成体８５は、筐体１０の円筒部分の内周面から離れており、風道壁形成体８５の外周面と、筐体１０の円筒部分の内周面との間には、空気が移動する流路が形成されている。
【００５９】
風道壁形成体８５の下端部８５ａ及び上端部８５ｂは、円錐面で構成されている。具体的には、風道壁形成体８５の下端部８５ａは、筐体１０の下方に向かって凸となる円錐面で構成され、風道壁形成体８５の上端部８５ｂは、筐体１０の上方に向かって凸となる円錐面で構成されている。
【００６０】
これにより、第４冷却網４４から風道壁形成体８５の下端部８５ａに到達した空気は、下端部８５ａの円錐面に沿って移動し、風道壁形成体８５及び筐体１０の円筒部分の間に形成された流路に移動しやすくなる。ここで、風道壁形成体８５の下端部８５ａを円錐面とすることにより、風道壁形成体８５の外面に沿って移動する空気の流速を向上させることができる。また、風道壁形成体８５の外周面に沿って上方に移動した空気は、風道壁形成体８５の上端部８５ｂの円錐面に沿って移動し、排気口１２に導かれやすくなる。
【００６１】
なお、風道壁形成体８５の下端部８５ａや上端部８５ｂは、円錐面で構成されていなくてもよい。例えば、下端部８５ａや上端部８５ｂは、風道壁形成体８５の長手方向（図９の上下方向）と直交する平面で構成することができる。
【００６２】
ノズル８１の吐出口から消毒液を吐出させることにより、風道壁形成体８５及び筐体１０（円筒部分）の間に形成された流路を通過する空気に粒子状の消毒液を含ませることができる。ここで、ノズル８１の吐出口は、風道壁形成体８５の外周面と対向しているため、ノズル８１の吐出口から吐出された消毒液は、風道壁形成体８５の外周面に衝突して飛散するため、粒子状になりやすい。粒子状の消毒液を含む空気は、排気口１２から筐体１０の外部に排出される。
【００６３】
なお、本実施形態では、筐体１０の内部に風道壁形成体８５を配置しているが、風道壁形成体８５を省略することもできる。ここで、ノズル８１の吐出口から、粒子状の消毒液を吐出させると、消毒液を風道壁形成体８５の外周面に衝突させた後の消毒液の粒子の径と比べて、消毒液の粒子の径が大きくなるが、排気口１２から排出される空気に粒子状の消毒液を含めやすくなる。
【００６４】
本実施形態では、ノズル８１から消毒液を吐出させることにより、除湿された空気に粒子状の消毒液を含ませることができ、消毒作用を有する空気を排気口１２から排出させることができる。
【００６５】
ノズル８１は排気口１２の近傍に配置されているため、排気口１２から排出される直前の空気に対して粒子状の消毒液を含ませることができる。これにより、排気口１２から排出される空気に対して粒子状の消毒液を含ませやすくなり、排気口１２から排出された空気に含まれる消毒液（粒子）の量を増加させやすくなる。そして、消毒液（粒子）の量を増加させることにより、消毒作用を向上させることができる。
【００６６】
本実施形態のように、粒子状の消毒液を含む空気を排気口１２から排出すると、除湿装置１の周辺環境における湿度が上昇することがある。特に、消毒液に含まれる消毒成分が揮発しやすいと、消毒液の溶媒だけが大気中に残ってしまい、除湿装置１の周辺環境における湿度が上昇しやすくなる。また、粒子状の消毒液を含む空気を排気口１２から排出し続けると、除湿装置１の周辺環境における湿度が上昇しつづけてしまうことがある。
【００６７】
そこで、本実施形態では、第１実施形態と同様に、冷却網４１〜４４を用いたり、流路制限部１４，１７を用いたりすることにより、湿度が上昇した空気を吸気口１１から取り込んで冷却して、空気に含まれる水分を液化させることができる。結果として、粒子状の消毒液を含む空気を排気口１２から排出しても、除湿装置１の周辺環境における湿度が上昇することを抑制できる。
【００６８】
なお、本実施形態では、第１実施形態と同様に、冷却網４１〜４４の少なくとも１つの冷却網にフィンを設けることができる。具体的には、冷却網において、空気が冷却網の開口部に入り込む側の面と、空気が開口部から排出される側の面とのうちの少なくとも一方の面にフィンを設けることができる。また、本実施形態では、第１実施形態で説明した排出ファン３２を省略しているが、この排出ファン３２を設けることもできる。具体的には、フィルタ２２及び風道壁形成体８５の上端部８５ｂの間に排出ファン３２を設けたり、風道壁形成体８５の下端部８５ａ及び第４冷却網４４の間に排出ファン３２を設けたりすることができる。
【符号の説明】
【００６９】
１：除湿装置、１０：筐体、１１：吸気口、１２：排気口、１４：第１流路制限部、
１６：第１流路拡大部、１７：第２流路制限部、１８：第２流路拡大部、
４１：第１冷却網、４２：第２冷却網、４３：第３冷却網、４４：第４冷却網、
８１：ノズル、８２：供給管、８３：貯留容器、８４：ポンプ、８５：風道壁形成体、
Ｗ：冷却液
【図１】
2018192469.tif 000003
【図２】
2018192469.tif 000004
【図３】
2018192469.tif 000005
【図４】
2018192469.tif 000006
【図５】
2018192469.tif 000007
【図６】
2018192469.tif 000008
【図７】
2018192469.tif 000009
【図８】
2018192469.tif 000010
【図９】
2018192469.tif 000011
【図１０】
2018192469.tif 000012